(57)【要約】      （修正有）【課題】広告の宣伝効果もより向上させることができる特典付きパッケージを提供する。【解決手段】表面に広告を付したティッシュボックス等の家庭用品のパッケージにおいて、前記パッケージを開ける際に切り取る蓋に割引券、無料券、抽選券、応募券、引換券、寄付券又はサービス券を特典として付したことを特徴とする。【選択図】図１
0003156741.tif 000002
【実用新案登録請求の範囲】
【請求項１】
表面に広告を付した家庭用品のパッケージにおいて、前記パッケージを開ける際に切り取る蓋に特典を付したことを特徴とする特典付きパッケージ。
【請求項２】
パッケージが、ティッシュボックスであることを特徴とする請求項１に記載の特典付きパッケージ。
【請求項３】
パッケージが、ティッシュペーパー、トイレットペーパー、ラップ、アルミホイル、コットン、洗剤、飲料品又は菓子の容器であることを特徴とする請求項１に記載の特典付きパッケージ。
【請求項４】
特典が、割引券、無料券、抽選券、応募券、引換券、寄付券又はサービス券であるであることを特徴とする請求項１乃至３のいずれか１項に記載の特典付きパッケージ。
【考案の詳細な説明】
【技術分野】
【０００１】
本考案は、ティッシュボックス等の蓋に割引券などの特典を付した特典付きパッケージに関する。
【背景技術】
【０００２】
ティッシュボックス等のパッケージは、ティッシュペーパー等の中身を使い切るまでは、人の目に付く場所に置かれていることが多いので、パッケージに広告を付して宣伝効果を上げているものが従来技術として知られている。
【０００３】
特許文献１に記載されているように、ティッシュボックスの正面、背面、左側面及び右側面に広告を印刷した広告付きケースの考案も公開されている。
【考案の概要】
【考案が解決しようとする課題】
【０００４】
しかしながら、従来技術においては、広告と共に割引券などの特典を印刷するケースもあるが、中身を使い切りパッケージを捨てる段階にならないと、特典を切り取りづらいという課題がある。
【０００５】
そこで、本考案は、有効的に利用できる特典を付けることで広告の宣伝効果もより向上させることができる特典付きパッケージを提供することを目的とするものである。
【課題を解決するための手段】
【０００６】
上記の課題を解決するために、本考案は、表面に広告を付したティッシュボックス等の家庭用品のパッケージにおいて、前記パッケージを開ける際に切り取る蓋に割引券、無料券、抽選券、応募券、引換券、寄付券又はサービス券を特典として付したことを特徴とする特典付きパッケージの構成とした。
【考案の効果】
【０００７】
パッケージの蓋は使用開始時に必然的に剥がすものであるから、パッケージの使用を開始すると同時に特典を受けることが可能となり、中身を使い切るまで待つ必要がない。即ち、パッケージを捨てる時に特典の存在を忘れてそのまま捨ててしまうこともなくなり、特典を有効利用しやすくなる。
【０００８】
特典があるため、消費者の購買意欲も向上し、パッケージの使用促進にも繋がる。さらに、広告の宣伝効果も向上することが期待できる。ギフト用として贈れば、受け取った者に喜ばれ、宣伝効果も拡げることができる。
【図面の簡単な説明】
【０００９】
【図１】本考案である特典付きパッケージの斜視図である。
【図２】本考案である特典付きパッケージの蓋を剥がす状況を示す図である。
【図３】本考案である特典付きパッケージの蓋を剥がした状態を示す図である。
【図４】本考案である特典付きパッケージの特典のバリエーションを示す図である。
【考案を実施するための形態】
【００１０】
本考案である特典付きパッケージは、表面に広告を付したティッシュボックス等の家庭用品のパッケージにおいて、前記パッケージを開ける際に切り取る蓋に割引券、無料券、抽選券、応募券、引換券、寄付券又はサービス券を特典として付したことを特徴とする。
【実施例１】
【００１１】
図１は、本考案である特典付きパッケージの斜視図である。特典付きパッケージ１は、広告４を載せたパッケージ２の蓋３に特典３ａを付けたものである。
【００１２】
パッケージ２は、家庭用品の容器であり、一部又は全面に広告を記載することができる。尚、家庭用品としては、ティッシュペーパー、トイレットペーパー、ラップ、アルミホイル、コットン、洗剤、飲料品、菓子などがある。
【００１３】
蓋３は、ミシン目や切取口などによりパッケージ２から切り取ることで、パッケージ２の封を開けるものである。例えば、ティッシュペーパーを収納したティッシュボックスの場合は、上面に設けたミシン目の部分である。
【００１４】
特典３ａは、蓋３に記載するサービス内容であり、割引券、無料券、抽選券、応募券、引換券、寄付券又はサービス券など消費者に対する様々なサービスが該当する。例えば、特定の商品について割引率を記載するなどである。
【００１５】
広告４は、個人、団体、企業等又はそれらの商品の情報を宣伝する目的で掲載するものである。尚、特典３ａは、主として広告４に関するものであり、宣伝を兼ねて消費者に提供する。
【００１６】
図２は、本考案である特典付きパッケージの蓋を剥がす状況を示す図である。図３は、本考案である特典付きパッケージの蓋を剥がした状態を示す図である。蓋３は、容易に剥がすことが可能で、かつ、パッケージ２から分離できるものが好ましい。
【００１７】
ティッシュボックスの場合、特典３ａ付きの蓋３をミシン目に沿って剥がすと、ティッシュの取出口２ａが現れ、パッケージ２内に収納された中身５を引き出して使用することが可能となる。
【００１８】
蓋３は、パッケージ２から分離するので、パッケージ２を使用中であっても、特典３ａを利用することが可能である。また、蓋３は、必然的に切り離す必要があるので、改めて切り取る手間も減るし、切り取り忘れなども無くなる。
【００１９】
図４は、本考案である特典付きパッケージの特典のバリエーションを示す図である。特典３ａは、広告４の内容によって、様々なバリエーションが考えられる。
【００２０】
図中（ａ）のように、全商品又は特定の商品について、一定金額又は一定割合で割引をするサービスや、図中（ｂ）のように、低額商品について無料で提供するサービスなどがある。
【００２１】
また、図中（ｃ）のように、抽選で商品を当てることができるサービスや、図中（ｄ）のように、購入金額によりポイントを還元している場合に、通常よりポイントを上乗せするサービスも考えられる。
【００２２】
さらに、図中（ｅ）のように、特定の消費者に対し恩恵を与えるサービスや、図中（ｆ）のように、粗品を進呈するサービスや、図中（ｇ）のように、別の特典と引き換えるサービスもある。
【００２３】
図中（ｈ）のように、広告主が消費者に代わって寄付を行うサービスや、図中（ｉ）のように、送迎などの役務を提供するサービスもある。その他、様々なサービスを提供することができ、複数のサービスを組み合わせることもできる。
【符号の説明】
【００２４】
１        特典付きパッケージ
２        パッケージ
２ａ      取出口
３        蓋
３ａ      特典
４        広告
５        中身
【先行技術文献】
【特許文献】
【００２５】
【特許文献１】実用新案登録第３１４４４９８号公報
【図１】
0003156741.tif 000003
【図２】
0003156741.tif 000004
【図３】
0003156741.tif 000005
【図４】
0003156741.tif 000006